(57)【特許請求の範囲】
【請求項１】
リーダライタ装置を用いて使用するＩＣカードであって、少なくとも、リーダライタ装置の活性化処理に対する応答として応答情報（ＡＴＲ情報）をリーダライタ装置側に出力する手段と、カードが使用者フエーズであるのか、製造者フエーズであるのかを判定する判定手段とを有し、その判定された結果がＩＣカードが前記使用者フエーズである場合はＩＣ特性情報（仕様情報）を含む情報を応答情報とし、判定された結果が前記製造者フエーズである場合は通信条件情報の先頭またはＩＣを特定できる情報のみの応答情報とし前記使用者フェーズの場合のＩＣ特性情報を含む応答情報より小さな応答情報を出力することを特徴とするＩＣカード。
【発明の詳細な説明】
【０００１】
【産業上の利用分野】
本発明は，ＣＰＵ付きＩＣカードに関するものであり、特に、製造における検査時間を短縮できるＩＣカードに関する。
【０００２】
【従来の技術】
ＩＣカードは新しい情報記録媒体として、特に磁気カードに代わる情報記録媒体として注目を集めており次第に普及しつつある。
ＩＣカードは小型のカードにメモリ及び電極などを一体化したＩＣモジールが搭載されたものであり、電話機にＩＣカードを挿入して利用するＩＣカードシステムにおけるＩＣプリペイドカード等として使用されている。
特に、ＣＰＵを内蔵したＩＣカードは、高度なセキュリテイーを有するため、種々の分野での利用が期待されている。一般にＩＣカードは、ＲＡＭ、ＲＯＭ、ＥＥＰＲＯＭといった３種類のメモリを内蔵しており、いずれも内蔵ＣＰＵによってアクセスされる。ＲＯＭ内には、ＣＰＵが実行すべきプログラムが格納されており、ＥＥＰＲＯＭには、ユーザのための個人データなどが格納される。またＲＡＭは、ＣＰＵが命令を実行するときのワークエリアとして利用される。
ＩＣカードに対するデータの授受は、専用のリーダライタ装置によって行われる。リーダライタ装置からＩＣカードに対して所定の命令を与えると、この命令はＩＣカード内のＣＰＵによって実行される。
そして、リーダライタ装置からＩＣカードへのデータの転送、ＩＣカードからリーダライタ装置へデータの転送は、同一のＩ／Ｏラインを通し行われる。
【０００３】
ところで、従来の上記のＩＣカードは、ＩＣカードの製造者フエーズにて、基本的なハード構成の作成と、ＲＯＭ内へのＣＰＵが実行すべきプログラムの搭載等基本的なソフトの搭載が行われ、利用者フエーズにて、ＥＥＰＲＯＭ内へユーザのための個人データの搭載等が行われていた。そして、製造者フエーズ、利用者フエーズのいずれにても、ＩＣカードは、はじめ専用のリーダライタ装置に受入れられると、リーダライタ装置により活性化処理され、活性化処理に対する応答ＡＴＲ（ＡＴＲ〜Ａｎｓｗｅｒ  ｔｏ  Ｒｅｓｅｔ）情報をリーダライタ装置へ送信し、リーダライタからのコマンド受信待ち状態となる動作をするが、製造者フエーズ、利用者フエーズともに、このＡＴＲ情報としてＩＣの特性情報（仕様情報）をリーダライタ装置に送信していた。
【０００４】
【発明が解決しようとする課題】
この為、従来は、ＩＣカードが製造者フエーズにある場合には、製造者はそのカードに使用しているＩＣの特性等を事前（検査前）に知っているにもかかわらず、ＩＣ検査において、あらためて既知のＩＣ特性の情報を受け取ることとなる。即ち、ＩＣカードが製造者フエーズにある場合、本来必要でない既知のＩＣ特性情報もＩＣカードの活性化処理に対する応答（ＡＴＲ）で通信されており、リーダライタ装置が既知のＩＣ特性情報を受信する時間だけ無駄に検査時間がかかってしまうという問題があった。
本発明は、このような状況のもと、ＩＣカードの製造におけるＩＣ検査の時間を短縮できるＩＣカードを提供しようとするものである。
【０００５】
【課題を解決するための手段】
本発明のＩＣカードは、リーダライタ装置を用いて使用するＩＣカードであって、少なくとも、リーダライタ装置の活性化処理に対する応答として応答情報（ＡＴＲ情報）をリーダライタ装置側に出力する手段と、カードが使用者フエーズであるのか、製造者フエーズであるのかを判定する判定手段とを有し、その判定された結果がＩＣカードが前記使用者フエーズである場合はＩＣ特性情報（仕様情報）を含む情報を応答情報とし、判定された結果が前記製造者フエーズである場合は通信条件情報の先頭またはＩＣを特定できる情報のみの応答情報とし前記使用者フェーズの場合のＩＣ特性情報を含む応答情報より小さな応答情報を出力するようにしたものである。
【０００６】
【作用】
本発明のＩＣカードは、上記のような構成にすることにより、ＩＣカードの製造者フエーズの場合の通信時間を短縮でき、結果的に検査時間の短縮を可能とするものである。
具体的には、リーダライタ装置の活性化処理に対しての応答情報を、ＩＣカードが利用フエーズである場合は、ＩＣ特性（仕様）情報を含む情報を応答情報とし、製造者フエーズである場合は、通信条件情報またはそのＩＣを特定できる情報のみからなる情報を応答情報として出力することにより、製造者フエーズの場合の通信時間を従来の場合に比べて短縮することを可能としている。
【０００７】
【実施例】
本発明のＩＣカードの実施例を挙げ、図にもとづいて説明する。
図１は実施例のＩＣカードの概略構成を示した図で、図２は各メモリのアドレスを示した図である。
図１中、１００はＩＣカード、１０１はＣＰＵ、１０２はＲＯＭ、１０３はＲＡＭ、１０４はＥＥＰＲＯＭ、１０５はＩ／Ｏライン、１０６は電源電圧ライン、１０７はリセットライン、１０８はクロックライン、１０９はグランドラインである。
ＩＣカード１００は、専用のリーダライタ装置（図示していない）に、受入れられると、リーダライタ装置により活性化処理されて活性化状態となり、活性化処理に対する応答（ＡＴＲ〜Ａｎｓｗｅｒ  ｔｏ  Ｒｅｓｅｔ）で、応答情報をリーダライタ側に送信するが、この際、図２（ｂ）に図示されるＥＥＰＲＯＭ１０４のＰＨＡＳＥ値を示すアドレスの内容を確認し、ＩＣカードが使用者による利用フエーズであるのか、製造者による製造フエーズであるのかを判定する。具体的には、ＩＣカードは活性化されるとＲＯＭ１０２内のプログラムによりＥＥＰＲＯＭ１０４内の内容の判定をＣＰＵ１０１を介して行うのである。
判定の結果、ＰＨＡＳＥ値を表すアドレス（図２（ｂ）では２０００〜２００１アドス）の内容がＦ０Ａ５（ｈ）でユーザ利用フエーズである場合には、図３（ａ）に示す、ユーザ利用フエーズの応答（ＡＴＲ）フオーマットの、ＩＣの特性情報（仕様情報）を含む応答情報に切り換える。また、ＰＨＡＳＥ値を表すアドレスの内容がＦ０Ａ５（ｈ）以外の製造者フエーズの場合には、図３（ｂ）の（イ）または図３（ｂ）の（ロ）に示す製造者フエーズ応答（ＡＴＲ）フオーマットの、通信条件情報またはＩＣを特定できる情報のみの応答情報に切り換える。
これら応答情報の切り換えはＲＯＭ１０２内のプログラムにより、ＣＰＵ１０１を介して行われる。
そして、応答情報はＲＯＭ１０２内のプログラムにより、図３（ａ）〜図３（ｂ）の各フオーマットを決め、ＣＰＵ、Ｉ／Ｏラインを介して出力される。
出力後、ＩＣカードはリーダライタ装置からのコマンド受信待ちとなるが、このコマンドのタイミング制御はＲＯＭ１０２、ＣＰＵ１０１により行われる。
【０００８】
本実施例のＩＣカード００の動作を図４に示す動作フローをもとに、更に説明する。
ＩＣカードは、リーダライタに受け入れられ、活性化される（Ｓ４０１）と、ＥＥＰＲＯＭ１０４のＰＨＡＳＥ値（ＰＨＡＳＥ値を表すアドレスの内容）の判定を行う（Ｓ４０２）
ＰＨＡＳＥ値がＦ０Ａ５（ｈ）である場合にはユーザフエーズＡＴＲを出力し（Ｓ４０３Ａ）、リーダライタからのコマンド待ち状態となり（Ｓ４０４）、Ｆ０Ａ５（ｈ）でない場合には製造者フエーズＡＴＲを出力し（Ｓ４０３Ｂ）、リーダライタからのコマンド待ち状態となる（Ｓ４０４）。
次いで、コマンド受信されるとコマンド処理を行いＳ４０５）、そのレスポンスをリーダライタへ送信し（Ｓ４０６）、再度コマンド待ち状態となる。
以下、Ｓ４０４〜Ｓ４０６のステップを繰り返す。
【０００９】
【発明の効果】
本発明は、上記のように、ＩＣカードの製造フエーズにおける活性化処理に対する応答のための通信時間を短かくでき、結果として、ＩＣ検査の時間を短縮できるＩＣカードの提供を可能としている。
【図面の簡単な説明】
【図１】実施例のＩＣカードの概略構成図
【図２】実施例のＩＣカードのメモリのアドレス等を示す図
【図３】応答（ＡＴＲ）フオーマットを示す図
【図４】実施例ＩＣカードの動作例を示す図
【符号の説明】
１００                      ＩＣカード
１０１                      ＣＰＵ
１０２                      ＲＯＭ
１０３                      ＲＡＭ
１０４                      ＥＥＰＲＯＭ
１０５                      Ｉ／Ｏライン
１０６                      電源電圧ライン
１０７                      リセットライン
１０８                      クロックライン
１０９                      グランドライン
【図１】
0003667364.tif 000002
【図２】
0003667364.tif 000003
【図３】
0003667364.tif 000004
【図４】
0003667364.tif 000005